(57)【要約】【課題】ヤリイカの産卵を促進することだけでなく、ヤリイカ幼生やその飼料生物の棲息空間をも確保する等、孵化後のヤリイカ幼生の棲息環境にも配慮した人工のヤリイカ産卵礁を提供する。【解決手段】支柱を立体状に配して構成される構造躯体の内部に被産卵パネル９を配してなる被産卵ユニット３を基台上に配置してなるヤリイカ産卵礁において、被産卵ユニット３は、構造躯体の内部に傾斜した被産卵パネル９と水平な被産卵パネル９とを高さ方向に配し、かつ構造躯体の上面及び一対の相対向する側面とに遮光性パネルを配して構成される。被産卵パネル９は、複数本の被産卵基体を並列に配して構成され、被産卵基体は、開口部が複数個設けられた通水性の筒状ケース内部に貝殻又は貝殻類似部材を充填して構成される。【選択図】      図３
2004236628.tif 000002
【特許請求の範囲】
【請求項１】
支柱を立体状に配して構成される構造躯体の内部に被産卵パネルを配してなる被産卵ユニットを基台上に配置してなるヤリイカ産卵礁において、被産卵ユニットは構造躯体の内部に傾斜した被産卵パネルと水平な被産卵パネルとを高さ方向に配し、かつ構造躯体の上面及び一対の相対向する側面とに遮光性パネルを配して構成され、被産卵パネルは複数本の被産卵基体を並列に配して構成され、被産卵基体は開口部が複数個設けられた通水性の筒状ケース内部に貝殻又は貝殻類似部材を充填してなることを特徴とするヤリイカ産卵礁。
【請求項２】
遮光性パネルは通水性を有するパネルである請求項１記載のヤリイカ産卵礁。
【請求項３】
被産卵基体の開口部は、ヤリイカ幼生が出入りするのに十分な大きさである請求項１又は２記載のヤリイカ産卵礁。
【請求項４】
複数個の被産卵ユニットが基台上の中央部を取り囲むように配置されてなる請求項１〜３いずれか記載のヤリイカ産卵礁。
【請求項５】
２個の被産卵ユニットが相対向するよう基台上に配置されてなる請求項４記載のヤリイカ産卵礁。
【請求項６】
４個の被産卵ユニットが、鉛直方向上側から見て９０°の回転対称をなすよう基台上に配置されてなる請求項４記載のヤリイカ産卵礁。
【発明の詳細な説明】
【０００１】
【発明の属する技術分野】
本発明は、ヤリイカの産卵を促進することだけでなく、ヤリイカ幼生やその飼料生物の棲息空間をも確保する等、孵化後のヤリイカ幼生の棲息環境にも配慮した人工のヤリイカ産卵礁に関する。
【０００２】
【従来の技術】
ヤリイカはササイカやテッポウ等の別名でも知られている非常に美味なイカであり、好んで食される海産物の一つである。このため、ヤリイカの需要は高く、その水揚量の増加が望まれている。このような実情に鑑みて、種々の人工のヤリイカ産卵礁が提案されている。
【０００３】
特許文献１には、支柱を立方状に配した産卵礁本体上部に天井プレートを配し、下部には底部プレートを配置させるほか、これら天井プレートと底部プレートとの間に所定傾斜角で産卵用斜行プレートを配設した構成の魚類産卵礁単体が記載されている。また、この魚類産卵礁単体複数個を有機的に組み合せて構成した魚類産卵礁も記載されている。
【０００４】
これにより、魚類が卵を産み付けることが可能な部分の面積を大きくし、魚類（特にヤリイカ）の産卵養生に好適な魚類産卵礁を提供することができる旨が記載されている。
【０００５】
また、本発明者自身は、人工魚礁についていくつかの提案を行っており（例えば特許文献２、特許文献３）、これらの経験から通水性ケースの内部にカキ殻を充填した構造の人工魚礁が極めて高い集魚効果をもたらすことが明らかとなっている。
【０００６】
【特許文献１】
実開平０２−０９６８６７号公報
（実用新案登録請求の範囲、作用、実施例、考案の効果、第１図〜第８図、第１０図）
【特許文献２】
特開２００１−３５２８５８号公報
（特許請求の範囲、発明の実施の形態、発明の効果、図１〜図５）
【特許文献３】
特開２００２−４５０７９号公報
（特許請求の範囲、発明の実施の形態、発明の効果、図１〜図５）
【０００７】
【発明が解決しようとする課題】
特許文献１の魚類産卵礁は、ヤリイカに産卵を促すという点で一定の効果が見込めるものではあるが、小さく複雑に仕切られた空間に乏しいため、孵化後のヤリイカ幼生が天敵から身を隠したり、その餌となる小型甲殻類、環形動物又は小型魚類が蝟集し繁殖する場所が少ない。このため、産み付けられた卵嚢から幼生が無事に孵化したとしても、その後の個体数減少が著しく、生産効率があまり良いものとは言えなかった。
【０００８】
また、産卵礁の内部に配する産卵用斜行プレートは通水性を有さないため、産卵礁内部における潮通しが一方向に限定されてしまう。さらに、上面と下面以外の４面全てが開放されているため、天敵の侵入が容易である。
【０００９】
特許文献２や特許文献３の魚礁は、集魚に適した魚礁ではあるものの、ヤリイカ独特の生態を反映したものとは言えず、ヤリイカ産卵礁としての効果はあまり見込めるものではない。
【００１０】
イカはその形態や生態において魚と著しく異なっているため、イカの産卵礁の開発は、魚の繁殖や定棲を目的とする人工魚礁の開発の延長線上にあるものではなく、一般的に異なる技術と考えられている。また、同じイカの範疇においても多様な生態が認められおり、例えば、アオリイカは大型海藻の棒状の茎に好んで産卵するのに対して、ヤリイカは岩棚等に形成された溝内部の天井部を好んで産卵することが知られている。
【００１１】
ある特定の生物を対象とした産卵礁の開発は、その生物固有の生態を反映しなければならない。ヤリイカの産卵礁の開発においては、（１）照度が低いこと、（２）潮通しがよいこと、（３）天敵が近寄り難いこと、（４）飼料生物が蝟集すること、（５）砂が堆積しないこと、（６）海底に近いこと等の条件をクリアしなければならない。
【００１２】
この際、ある条件を満たすために、他の条件を犠牲にしてしまうと、産卵礁全体から得られる効果が相殺されてしまうおそれがある。例えば、潮通しの確保を重視して、開放的な構造にしてしまったため、出来上がった産卵礁は、照度を低く保てないものであったり、天敵の侵入が容易なものであったりすること等が考えられる。
【００１３】
このように、得られる効果を相殺させることなく、（１）〜（６）等の各条件を産卵礁に具現することは非常に困難である。また、製造コストや設置コスト等についても配慮しなければならない。本発明者は、長年の研究を経て、上記課題を解決した人工のヤリイカ産卵礁を開発することに成功した。
【００１４】
【課題を解決するための手段】
上記課題は、支柱を立体状に配して構成される構造躯体の内部に被産卵パネルを配してなる被産卵ユニットを基台上に配置してなるヤリイカ産卵礁において、被産卵ユニットは構造躯体の内部に傾斜した被産卵パネルと水平な被産卵パネルとを高さ方向に配し、かつ構造躯体の上面及び一対の相対向する側面とに遮光性パネルを配して構成され、被産卵パネルは複数本の被産卵基体を並列に配して構成され、被産卵基体は開口部が複数個設けられた通水性の筒状ケース内部に貝殻又は貝殻類似部材を充填してなることを特徴とするヤリイカ産卵礁によって解決される。
【００１５】
ここで、貝殻類似部材とは、それを筒状ケースに無造作に詰めた場合の充填率が、カキ殻又はハマグリ殻を同じ筒状ケースに無造作に詰めた場合の充填率と同等なものを言い、例えば、瓦、石、木の枝、木片、金属片等、蟹や海老等の甲殻類の殻や、それらを適当な大きさ、形状に加工したもの等が挙げられる。
【００１６】
貝殻又は貝殻類似部材は、筒状ケースに充填されることで小さく複雑に仕切られた空間を多数形成する。この空間は、ヤリイカの飼料生物である小型甲殻類、環形動物又は小型魚類、なかでもコペポーダやアミ類等のプランクトンが蝟集し繁殖する場所として好適なものである。このため、ヤリイカ産卵場所は、飼料生物の棲息空間としての役割をも果たすことが可能となる。
【００１７】
前記被産卵基体は、通水性の筒状ケースに貝殻又は貝殻類似部材を充填したものであるため、必然的に適度な遮光性と通水性とを有する。よって、被産卵基体を並列配置して構成された被産卵パネルも遮光性及び通水性を有し、被産卵パネルを構造躯体に配した被産卵ユニットも（特に、被産卵ユニットの正面と背面とを結ぶ方向に対して）遮光性及び通水性を有する。このため、産卵礁全体を潮通しが良好なものとすることができ、大量の酸素が産卵礁内部へ供給できると共に、産卵礁内部における砂の堆積を防止することも可能となる。
【００１８】
ここで、被産卵ユニットの正面とは、ヤリイカが内部へ進入できるように開放された面のうち、ヤリイカの出入りが最も頻繁と予想される面のことをいう。例えば、図３又は図４に示す被産卵ユニットにおいては、図面の左下側を向く面が正面となる。背面（正面の対面）を出入口とする室の天井面は傾斜しているのに対し、正面を出入口とする室の天井面は水平となっており、多くのヤリイカが正面側から出入りすることが予想されるからである。ヤリイカは天井面が水平に近ければ近いほど、その天井面を産卵の場所として好むことが知られている。
【００１９】
構造躯体の上面及び側面には遮光性パネルが配されているため、上方から射し込む自然光を遮蔽することが可能である。このため、産卵礁に産み付けられた卵嚢の表面に珪藻が繁殖しにくくなる等、ヤリイカの産卵環境として好適な環境を提供することが可能となる。
【００２０】
また、遮光性パネルが通水性をも有すればより好ましい。これにより、被産卵ユニットは、正面と背面とを結ぶ方向だけでなく、あらゆる方向に対して通水性を有するものとなり、産卵礁全体の潮通しをより良好なものとすることができる。
【００２１】
さらに、開口部がヤリイカ幼生が出入りするのに十分な大きさであれば、被産卵基体にその飼料生物だけでなくヤリイカ幼生自身の棲息空間も確保できるため好ましい。孵化直後のヤリイカ幼生は、その胴の長手方向に垂直な断面を円に近似した場合、その直径が１ｍｍ程度であるので、直径１ｍｍの球が通過できることが、ヤリイカ幼生が出入りするための必要条件となる。しかし、比較的短期間で胴の直径が１ｃｍ以上にまで成長することを考慮すると、実際には幾分余裕を見て、直径２ｃｍの球が通過できるか否かが、ヤリイカ幼生が出入りするのに十分な大きさであるかどうかの現実的な目安となろう。
【００２２】
ヤリイカ産卵礁における各被産卵ユニットの配置は、複数個の被産卵ユニットを、基台の中央部を取り囲むように配置するのが好適である。このように配置することで、複数個の被産卵ユニットで囲まれた中庭を、基台の中央部に形成することが可能となる。このため、中庭を泳いでいるヤリイカ幼生は、産卵礁の側方を泳いでいる大型魚類からは勿論のこと、産卵礁の上方を泳ぐ大型魚類からも十分に身を守ることができる。大型魚類は、下方への捕食攻撃を苦手としているため、中庭の上方が開放されていても、中庭の防御力の低下にはあまり影響しないからである。また、産卵礁全体の重量バランスがとれるため、産卵礁は潮流に流されにくくなる。
【００２３】
より具体的には、２個の被産卵ユニットが、相対向する（互いの正面が向かい合う）よう基台上に配置されることが好ましい。これにより、一方の被産卵ユニットの背面から他方の被産卵ユニットの背面への潮通しを特に良好なものとすることが可能となる。
【００２４】
また、４個の被産卵ユニットが、鉛直方向上側から見て９０°の回転対称をなすよう基台上に配置されることも好ましい。これにより、中庭を有し、かつ重量バランスのとれた産卵礁を簡単な構成により実現することが可能となる。
【００２５】
【発明の実施の形態】
以下、図面を使用して、本発明のヤリイカ産卵礁をより具体的に説明する。図１は２ユニット型ヤリイカ産卵礁の斜視図であり、図２は４ユニット型ヤリイカ産卵礁の斜視図である。図３は被産卵ユニットの斜視図であり、図４は被産卵ユニットを分解した状態を示した斜視図である。図５は被産卵パネルの斜視図であり、図６は円筒状ケースの斜視図、図７は被産卵基体の斜視図である。図８は、４ユニット型ヤリイカ産卵礁の平面図である。図９は、図３の被産卵ユニットに、ヤリイカが卵嚢を産み付けた場合のＡ−Ａ断面図である。図１〜図５、図９において、被産卵基体は円筒で示してある。
【００２６】
２ユニット型ヤリイカ産卵礁１は、図１に示すように、平行に配された２本の基台アングル鋼４上に、２個の被産卵ユニット３を相対向させて配置したものであり、各被産卵ユニット３の間には、産卵礁の強度を保つための連結アングル鋼５が架設されている。基台をアングル鋼４により構成することにより、起伏がある海底面においても、産卵礁を安定して設置することが可能となる。産卵礁全体の大きさは特に限定されないが、本実施態様においては、縦が４．１ｍ、横と高さが共に２．１ｍである。潮流１７は、この産卵礁に遮られることなく反対側へ通り抜けることができる。
【００２７】
４ユニット型ヤリイカ産卵礁６は、図２に示すように、４個の被産卵ユニット３を、鉛直方向上側から見て９０°の回転対称をなすように、コンクリート製の基台パネル７上に配置したものである。各被産卵ユニット３の正面が、基台パネル７の中央側に向くよう配置されている。産卵礁全体の大きさは、本実施態様において、縦と横とが共に５．０ｍ、高さが２．２ｍである。２ユニット型ヤリイカ産卵礁１と同様の目的で、連結アングル鋼５が架設されている。
【００２８】
この産卵礁の中央部には、図８に示すように、４個の被産卵ユニット３で囲まれた中庭１６が形成されている。この中庭１６は、周囲の被産卵ユニット３により、側方から目隠しされているにもかかわらず、潮通しはあらゆる方向に対して良好であり、ヤリイカ幼生が運動を行う場所として好適である。
【００２９】
被産卵ユニットの配置は、前記配置に限定するものではなく、３個の被産卵ユニットを１２０°の回転対称をなすように配置するものや、５個の被産卵ユニットを７２°の回転対称をなすように配置するもの等であってもよい。しかし、被産卵ユニットの個数が多すぎると中庭が広くなりすぎるため、使用する被産卵ユニットの個数やその配置は、被産卵ユニットの大きさ等の条件を考慮した上で選択するとよい。
【００３０】
また、目隠しの効果をより高めるため、あるいは中庭の照度をより暗く保つため、産卵礁の上面や外周の一部を遮光性パネルで覆ってもよい。このパネルは、産卵礁内部の潮通しを阻害しないよう、小さな孔を多数有するものであることが好ましい。目の細かいメッシュ板等が好適な例として挙げられる。孔から光が漏れ、遮光性が十分に確保できなくなる場合には、パネルを複数枚重ねる。このとき、お互いを密接させてしまうと、通水性が阻害されるおそれがあるため、適当な間隔を置いて重ねるとよい。パネルの色は、ヤリイカが落ち着いて産卵できるよう、黒等の暗い色であることが好ましい。
【００３１】
基台は、図１のようにアングル鋼により構成されたものや、図２のようにパネルで構成されたものがあるが、これはアンカーとしての役割を果たすだけでなく、被産卵ユニット３を海底から遠ざけ、産卵礁に産み付けられた卵嚢が砂に埋没することを防ぐ役割をも果たす。基台の構成は、産卵礁を設置する場所の地形や潮流の速さ等に応じて適宜選択される。
【００３２】
被産卵ユニット３は、図３又は図４に示すように、立設された４本の柱アングル鋼８に、被産卵パネル９、天井パネル１０及び側壁パネル１１をそれぞれ取り付けたものである。天井パネル１０は柱アングル鋼８の上端面に固定され、側壁パネル１１は側壁パネル支持鋼１９の上面に固定されている。被産卵ユニット３全体の大きさは、本実施態様において、縦が１．０ｍ、横が２．０ｍ、高さが１．８ｍである。
【００３３】
この被産卵ユニット３において、真ん中の被産卵パネル９は水平に、一番上と一番下の被産卵パネル９は水平面に対し２０〜４０°の範囲で傾斜するよう取り付けられている。本実施態様においては３０°傾斜させている。各被産卵パネル９をこのように取り付けることにより、ヤリイカの産卵場所として好適な奥が狭まった空間を形成することが可能となる。被産卵ユニット３に使用する被産卵パネル９の枚数は３枚に限定されず、被産卵ユニット３や被産卵パネル９の大きさ等に応じて適宜選択される。天井パネル１０と側壁パネル１１は、遮光性パネルであれば特に限定されないが、前記目の細かいメッシュ板等を使用することが好ましい。
【００３４】
図９に、ヤリイカ２０、２１が被産卵ユニット３に卵嚢１８を産み付けた状態を示す。本実施態様においては、天井パネル１０の裏面と各被産卵パネル９の裏面との合計４面に卵嚢１８が生みつけられる。正面側（図９の左側）から進入してきたヤリイカ２０は、水平な天井面に卵嚢１８を産み付けるのに対し、背面（図９の右側）から進入してきたヤリイカ２１は、３０°傾斜した天井面に卵嚢を産み付けることになる。
【００３５】
被産卵パネル９は、図５に示すように、平行に配された２本の支持アングル鋼１３の間に１０本の被産卵基体１２を並列配置して形成されている。このとき、各被産卵基体１２を密接させるのではなく、隣の被産卵基体１２との間に隙間が形成されるよう並列配置するのが好ましい。これにより、産卵礁内部への潮通しをさらに良好にすることが可能となる。被産卵パネル９の強度を高くしたい場合は、残りの２辺にもアングル鋼等を取り付けてもよい。被産卵パネル９は、本実施態様において、縦が１００ｃｍ、横が１９０ｃｍ、高さが１６ｃｍのものと、縦が１０６ｃｍ、横が１９０ｃｍ、高さが１６ｃｍのものとの２種類を使用している。
【００３６】
被産卵基体１２は、図６に示されるような円筒状ケース１４の内部に、貝殻又は貝殻類似部材を充填してなる。一例として、図７に、円筒状ケース１４の内部にカキ殻１５を充填してなる被産卵基体１２を示す。被産卵基体１２の表面は複雑な形状をなしており、ヒトデやウニ等の管足を有する棘皮動物の歩行が困難である。これにより、棘皮動物による捕食から卵嚢を保護することが可能となる。
【００３７】
円筒状ケース１４は、円環部材と直線部材とを溶接して形成したもの、エキスパンドメタルを筒状に曲げることにより形成したもの、パンチングメタルを筒状に形成したもの、ワイヤ等の線状部材が編み込まれた網を筒状に形成したもの等が好適である。円筒状ケース１４の材質は、銅やアルミ等の金属類や、プラスチック等の樹脂であっても良いが、本実施態様においてはコスト等を考慮し、鉄を使用している。
【００３８】
円筒状ケース１４内部への貝殻又は貝殻類似部材の充填は、その場所における通水性を阻害しない程度の充填率で行う。貝殻を充填する場合は、入手コスト、通水性の確保、ヤリイカ幼生やその飼料生物の棲息空間の形成、廃物処理等の観点から、凹凸があり比較的大きな殻を有するカキ殻やハマグリ殻が最適である。
【００３９】
貝殻類似部材としては、瓦、石、木の枝、木片、金属片等やそれらを適当な大きさ、形状に加工したものであれば良いが、蟹や海老等の甲殻類の殻は特別な加工を必要としないために好ましい。筒状ケース内部への充填物は１種類に限定されるものではなく、上記の貝殻又は貝殻類似部材の中から選択した複数のものを混ぜ合わせたものであっても良い。
【００４０】
この際、貝殻又は貝殻類似部材の各殻体が円筒状ケース１４の内部に完全に収まるように充填しても良いが、いくつかの殻体の一部を円筒状ケース１４の側面の開口部から突出させても良い。これにより、被産卵基体１２の表面をより複雑な形状とすることが可能となる。
【００４１】
上記ヤリイカ産卵礁は、水深５〜５０ｍの海底に設置されることが好ましい。ヤリイカはこの水深における岩棚等に形成された溝内部の天井部に産卵することが知られているからである。
【００４２】
【発明の効果】
本発明のヤリイカ産卵礁は、遮光性パネルを配したものであるため、産卵礁内部の照度を低く保つことができる。また、その遮光性パネルに通水性を持たせることにより、産卵礁内部への潮通しを良好なものとすることが可能となり、産卵礁内部に砂が堆積するのを防ぐことも可能となる。さらに、被産卵基体の表面が複雑な形状であるため、天敵が近寄りにくい。さらにまた、筒状ケース内部にカキ殻等の貝殻又は貝殻類似部材を充填することにより、小さく複雑に仕切られた空間が多数形成されるため、飼料生物やヤリイカ幼生の棲息空間を確保することができる。
【００４３】
このように、本発明のヤリイカ産卵礁は、ヤリイカの産卵環境として好適な条件のいずれも犠牲にすることなく産卵礁の構造に反映させているため、それらが相乗効果を生み、天然の産卵環境以上に快適な空間をヤリイカに提供することが可能である。また、ヤリイカ幼生は孵化後も産卵礁に定棲するため、産卵礁付近の限られた範囲で水揚を行うことができ、非常に効率的である。
【図面の簡単な説明】
【図１】２ユニット型ヤリイカ産卵礁全体の斜視図である。
【図２】４ユニット型ヤリイカ産卵礁全体の斜視図である。
【図３】被産卵ユニットの斜視図である。
【図４】被産卵ユニットを分解した状態を示した斜視図である。
【図５】被産卵パネルの斜視図である。
【図６】円筒状ケースの斜視図である。
【図７】被産卵基体の斜視図である。
【図８】４ユニット型ヤリイカ産卵礁の平面図である。
【図９】図３の被産卵ユニットに、ヤリイカが卵嚢を産み付けた場合のＡ−Ａ断面図である。
【符号の説明】
１  ２ユニット型ヤリイカ産卵礁
２  ヤリイカ
３  被産卵ユニット
４  基台アングル鋼
５  連結アングル鋼
６  ４ユニット型ヤリイカ産卵礁
７  基台パネル
８  柱アングル鋼
９  被産卵パネル
１０  天井パネル
１１  側壁パネル
１２  被産卵基体
１３  支持アングル鋼
１４  円筒状ケース
１５  カキ殻
１６  中庭
１７  潮流
１８  卵嚢
１９  側壁パネル支持鋼
２０  ヤリイカ
２１  ヤリイカ
【図１】
2004236628.tif 000003
【図２】
2004236628.tif 000004
【図３】
2004236628.tif 000005
【図４】
2004236628.tif 000006
【図５】
2004236628.tif 000007
【図６】
2004236628.tif 000008
【図７】
2004236628.tif 000009
【図８】
2004236628.tif 000010
【図９】
2004236628.tif 000011